(57)【要約】【課題】  ＬＥＤの温度変化に伴う管内の圧力が変化しても、内部圧力を外気と同じにするとともに、水滴や粉塵の流入を阻止し、設置場所の制約を受けない直管型ＬＥＤ照明ランプを提供する。【解決手段】  直管型ＬＥＤ照明ランプは、透光性を有する合成樹脂から形成された管体１と、この管体１を装着する蛍光灯器具のソケットに接続可能な端子６が設けられた口金５と、管体１の内部にはＬＥＤ点灯回路を備えたＬＥＤ実装用基板３と、このＬＥＤ実装用基板３の一方面側に実装された複数のＬＥＤ２とを備えている。管体１には内部と外部に連通する透孔１ａが形成され、この透孔１ａには内圧調整、防水及び防塵用のフィルター１１を備えた内圧調整具１０を装着している。【選択図】図１
2020035731.tif 000002
【特許請求の範囲】
【請求項１】
透光性を有する合成樹脂から形成された管体と、この管体を装着する蛍光灯器具のソケットに接続可能な端子が設けられた口金と、前記管体の内部にはＬＥＤ点灯回路を備えたＬＥＤ実装用基板と、このＬＥＤ実装用基板の一方面側に実装された複数のＬＥＤとを備えたＬＥＤ照明ランプであって、
前記管体には内部と外部に連通する透孔が形成され、この透孔には内圧調整、防水及び防塵用のフィルターを備えた内圧調整具を装着したことを特徴とする直管型ＬＥＤ照明ランプ。
【請求項２】
前記内圧調整具は、軸方向に連通する筒状に形成されて周面に鍔部を形成した筒体と、前記筒体内に装着され塵埃等を除去して気体の容易な通過を許容するフィルターと、前記筒体の周囲に嵌挿するとともに前記鍔部に当接させたＯリングとを備え、前記筒体の周面形成された雄ねじ部を前記管体に形成された透孔の雌ねじ部に螺合し、前記鍔部と前記管体の外面の間に前記Ｏリングを圧接させて閉塞した請求項１に記載の直管型ＬＥＤ照明ランプ。
【請求項３】
前記管体と口金は、気密及び水密構造に形成された請求項１に記載の直管型ＬＥＤ照明ランプ。
【発明の詳細な説明】
【技術分野】
【０００１】  本発明は、発光ダイオード（以下、ＬＥＤという）を光源とする、直管型ＬＥＤ照明ランプに関し、詳しくは、管内に内部圧力を調整する機能を備えた直管型ＬＥＤ照明ランプに関するものである。
【背景技術】
【０００２】  ＬＥＤ照明ランプは、省電力、長寿命である特徴を有することから、照明装置として多用されている。現在では、従来から使用されている白熱電球や、水銀灯などの口金と同規格の口金を備えることで、従来の照明器具のソケットにそのまま装着できるＬＥＤ照明ランプが提供されている。従来のこの種のＬＥＤ照明ランプにおいては、蛍光灯と同等の輝度を得るために、実装するＬＥＤの数も多く必要とするが、ＬＥＤは温度上昇とともに発光特性が低下することがある。また、ＬＥＤの発熱によってＬＥＤ照明ランプの内部の内圧が変化し、外部から水分等が侵入し易くなる。さらには、ＬＥＤの点灯により内圧が上昇したしたときに、内部にＬＥＤを配設した透光性の管体が膨張する等の原因で、口金が外れてしまうという問題が発生していた。【０００３】  このような、ＬＥＤ照明ランプが抱える内部圧力の変化による問題を解消するため、例えば、特開２０１０−４４９２０号公報（特許文献１）、特開２０１８−２３５６８８号公報（特許文献２）に開示されるように、ＬＥＤ照明ランプの口金に通気孔を形成し、ＬＥＤの温度変化に伴う内部圧力が変化したときに、内部と外部を通気させて内部の圧力を調整することが提案されている。
【先行技術文献】
【特許文献】
【０００４】
【特許文献１】特開２０１０−４４９２０号公報
【特許文献２】特開２０１３−２３５６８８号公報
【発明の開示】
【発明が解決しようとする課題】
【０００５】  上記特許文献１及び特許文献２に示されたＬＥＤ照明ランプは、通気孔を形成することにより空気を流通させて内部の圧力を調整するようにしている。しかしながら、通気孔の内径が大きいことから、水滴や粉塵が流通するため、水を扱う場所、或いは、粉塵の多い環境の工場や作業現場では使用できない問題がある。【０００６】  本発明の課題は、ＬＥＤの温度変化に伴う管内の圧力が変化しても、内部圧力を外気と同じにするとともに、水滴や粉塵の流入を阻止し、設置場所の制約を受けない直管型ＬＥＤ照明ランプを提供することにある。
【課題を解決するための手段】
【０００７】  上記課題を解決するため、本発明による直管型ＬＥＤ照明ランプは、透光性を有する合成樹脂から形成された管体と、この管体を装着する蛍光灯器具のソケットに接続可能な端子が設けられた口金と、前記管体の内部にはＬＥＤ点灯回路を備えたＬＥＤ実装用基板と、このＬＥＤ実装用基板の一方面側に実装された複数のＬＥＤとを備えたＬＥＤ照明ランプであって、前記管体には内部と外部に連通する透孔が形成され、この透孔には内圧調整、防水及び防塵用のフィルターを備えた内圧調整具を装着したことを要旨としている。【０００８】  また、前記内圧調整具は、軸方向に連通する筒状に形成されて周面に鍔部を形成した筒体と、前記筒体内に装着され塵埃等を除去して気体の容易な通過を許容するフィルターと、前記筒体の周囲に嵌挿するとともに前記鍔部に当接させたＯリングとを備え、前記筒体の周面形成された雄ねじ部を前記管体に形成された透孔の雌ねじ部に螺合し、前記鍔部と前記管体の外面の間に前記Ｏリングを圧接させて閉塞するようにしている。【０００９】  さらに、前記管体と口金は、気密及び水密構造に形成されている。
【発明の効果】
【００１０】  本発明の直管型ＬＥＤ照明ランプによれば、複数のＬＥＤを備えた管体に形成された透孔に、内圧調整、防水及び防塵用のフィルターを備えた内圧調整具を装着したので、ＬＥＤの点灯、消灯による温度変化があっても、内圧調整具により管体内部の内圧が調整できるので、合成樹脂によって形成された管体であっても、膨張収縮等による破損や変形を未然に防止することができる。また、内圧調整具により、外部からの水分や粉塵等の侵入を阻止することができるので、設置場所の制約を受けないＬＥＤ照明ランプを提供することができる。【００１１】  また、内圧調整具は、筒体内に塵埃等を除去して気体の容易な通過を許容するフィルターを装着しているので、外部からの水分や粉塵等の侵入を未然に阻止することができる。しかも、ＬＥＤ照明ランプの管体に形成された透孔に螺合することにより容易に装着することができる。また、装着した状態では、管体の外面と内圧調整具との間にＯリングが介在させて閉塞するので、管体内への水分や塵埃等の侵入を未然に阻止することができる。【００１２】  さらに、管体と口金を気密及び水密構造に形成することにより、口金との隙間からの水分や塵埃等の侵入が防止され、管体の内部とは内圧調整具のみが空気の流路となることから、外部からの水分や粉塵等の侵入を阻止することができ、設置場所の制約を解消することができる。
【図面の簡単な説明】
【００１３】
【図１】本発明による直管型ＬＥＤ照明ランプの実施例を示す断面図である。
【図２】内圧調整具を装着した状態を示す直管型ＬＥＤ照明ランプの断面図である。
【図３】内圧調整具を示す断面図である。
【発明を実施するための形態】
【００１４】  本発明による直管型ＬＥＤ照明ランプは、透光性を有する合成樹脂から形成された管体と、この管体を装着する蛍光灯器具のソケットに接続可能な端子が設けられた口金と、前記管体の内部にはＬＥＤ点灯回路を備えたＬＥＤ実装用基板と、このＬＥＤ実装用基板の一方面側に実装された複数のＬＥＤとを備えたＬＥＤ照明ランプであって、前記管体には内部と外部に連通する透孔が形成され、この透孔には内圧調整、防水及び防塵用のフィルターを備えた内圧調整具を装着している。
【実施例】
【００１５】  以下、図面に基づいて本発明の好適な実施例について説明する。図１は、本発明による直管型ＬＥＤ照明ランプを示す断面図である。この直管型ＬＥＤ照明ランプは、図示しない既存の蛍光灯器具のソケット部に装着して使用可能に構成されている。即ち、透明又は半透明の円筒状の管体１内に、多数のＬＥＤ（高輝度ＬＥＤ）２を配置した長尺のＬＥＤ実装基板３と、このＬＥＤ実装基板３を取り付ける回路基板４を有する。ＬＥＤ実装基板３及び回路基板４は、管体１の長手方向に延在するように設けられており、管体１の両端には、口金５が管体１内部を閉塞するような状態で取付けられている。この口金５には、既存の蛍光灯器具のソケット部に嵌合装着される端子部６（６ａ、６ｂ）が取り付けて構成される。この端子部６（６ａ、６ｂ）は、回路基板５に電気的接続しており、蛍光灯器具から回路基板５に電流が流される。【００１６】  ＬＥＤ２の点灯回路を有する回路基板５には、特に図示して説明しないが、この種の装置に一般的に用いられる素子である整流器、インラッシュ電流抑制用のパワーサーミスタ、平滑用の電解コンデンサ、電圧制御回路などが設けられている。更には、直列に接続された複数のＬＥＤ２には各々ツエナーダイオードを並列に接続し、各ＬＥＤ２の断線時にも電流を順方向に流すようにしておいても良い。【００１７】  管体１は、透明或は半透明で透光性を有しており、例えば、ポリカーボネートやアクリルからなる合成樹脂によって、従来の蛍光管と同様に円筒状に形成されている。この管体１の両側には、前述したように、口金５が取付けられているが、口金５と管体１の隙間から内部に水分や塵埃等の侵入しないように、例えば封止剤を介在させて気密及び水密構造に形成されている。また、管体１の一方側近傍には、後述する内圧調整具１０を装着するための透孔１ａが形成されている。【００１８】  ＬＥＤ実装基板３と反対側の回路基板４の面には、図２に示すように、放熱板７が固定されている。この放熱板７の形状は、回路基板４の面と平行に接触する平面部７ａと、管体１の半径方向である平面部７ａの側端部には、円弧面部７ｂが一体的・連続的に接続さている。この円弧面部７ｂは、長手方向に向けて連続し、かつ、管体１の内側面に離間状態で沿うように配置されている。なお、放熱板７の形状は、図示の形状に限定されるものではなく、円弧面部の代わりに蛇腹状等に形成しても良い。また、円弧面部７ｂや蛇腹部等の任意の位置に軽量化のためのスリットなどを形成しておいても良く、さらに、放熱板７の平面部７ａに複数の放熱フィン状部を形成しても良く、回路基板５と管体１の内側面によって画定された空間内に収まる範囲で、最も放熱効率の良い構造が選択される。【００１９】  管体１の一方側近傍に形成された透孔１ａには、内圧調整具１０が装着される。この内圧調整具１０は、図３に示すように、合成樹脂によって筒体１０ａが筒状に形成され、軸方向に連通する連通孔１０ｂが形成され、図示上方には大径の鍔部１０ｃが形成されている。そして、連通孔１０ｂ内には、フィルター１１が設けられている。さらに、鍔部１０ｃの図示上方には、カバー１２が嵌合されている。カバー１２を嵌合する鍔部１０ｃの上方には��周面に透孔１０ｄが形成され、カバー１２を嵌合した状態でも、フィルター１１の上方の連通孔１０ｂに連通するように形成されている。なお、カバー１２の上面に透孔を形成し、連通孔１０ｂに連通させても良い。また、鍔部１０ｃの図示下方の筒体１０ａの周面には雄ねじ部が形成されている。さらに、鍔部１０ｃの下面には、Ｏリング１３が装着されている。【００２０】  フィルター１１は、例えば、特許第５２３４７６３号公報に示される通気シートを使用することが望ましい。このフィルター１１は、例えば、ポリテトラフルオロエチレン多孔質膜からなり、ミクロンの微細孔が多数形成されている。このため、通気性を有するとともに、防水及び防塵効果を有している。このフィルター１１は、円形に形成されていて１μｍ〜５ｍｍの厚さとしている。また、フィルター１１の通気度は、ＪＩＳ  Ｐ  ８１１７に規定されたガーレー試験機法により得られるガーレー値にて、０．１〜５００ｓｅｃ／１００ｃｍ３の範囲にあると良く、耐水圧は１．０ＫＰａ以上が好ましい。この円形のフィルター１１は、周縁部を連通孔１０ｂの内部に埋設することにより固定している。図３に示すフィルター１１は、中央部に支持体１０ｅを当接させて湾曲させた円弧面に形成しているが、フィルター１１に空気等が流通する際に、ダイヤフラムのような変位を防止するためである。【００２１】  この内圧調整具１０は、前述したように、管体１に形成された透孔１ａに螺合される。透孔１ａの内周面には、雌ねじが形成されていて、管体１の外方からねじ込むことにより、Ｏリング１３が圧接されて、内圧調整具１０と管体１の外面との間が閉塞される。このように、内圧調整具１０は、管体１の外方から透孔１ａに螺合するだけで容易に装着することができる。なお、螺合のみでは強度が不足する場合は、管体１の内方に、内圧調整具１０の雌ねじナットを螺合するようにしても良く、また、必要に応じて内圧調整具１０と管体１を補強的に接着しても良い。【００２２】  以上のように構成された直管型ＬＥＤ照明ランプにおいて、ＬＥＤの点灯によって管体１の内部が温度上昇して内圧が上昇すると、内圧調整具１０のフィルター１１を介して管内の圧力を外方に放出するので、管体１の内部の内圧を低下させることができる。また、フィルター１１は、空気は通すが水や粉塵は通さない機能を有しているので、防水及び防塵効果があるので、外部からの水分や粉塵等の侵入を阻止することから、設置場所の制約を受けることがない。【００２３】  以上、本発明を実施例に基づき具体的に説明したが、本発明は上記実施例に限定されるものではなく、その要旨を逸脱しない範囲で種々変形可能であることは言うまでもない。
【符号の説明】
【００２４】１    管体
１ａ  透孔
２    ＬＥＤ
３    ＬＥＤ実装基板
４    回路基板
５    口金
６    端子部
７    放熱板
１０  内圧調整具
１０ａ筒体
１０ｂ連通孔
１０ｃ鍔部
１１  フィルター
１２  Ｏリング
【図１】
2020035731.tif 000003
【図２】
2020035731.tif 000004
【図３】
2020035731.tif 000005